(57)【要約】【課題】内線通信端末の利用者が常駐場所移動の際、移動元で使用の内線番号及び内線データを移動先と交換し、その移動先でもそのまま利用することが簡単かつ容易にできる。【解決手段】移動先電話端末２１で利用者が所定の「内線データ交換要求」により自分所有の内線番号を宛先として発呼した際、ボタン電話装置１０では制御部１３が利用者の内線データの記録された領域を対応テーブル３０から呼出し、移動先内線番号の内線データと交換するだけでなく、交換した内線データが記録されている実装位置の宛先内線番号を対応テーブルの移動先領域内で交換している。複数のボタン電話装置にわたる場合、ボタン電話装置間の信号及びデータの授受は情報チャネルとは別の信号チャネルを利用する。【選択図】図１
2008166890.tif 000002
【特許請求の範囲】
【請求項１】
一方に少なくとも一つの外線、他方に複数の内線を有する交換装置における、内線接続される通信端末の利用者が移動した際に移動元で使用していた内線データを移動先と交換する方法であって、前記通信端末の実装位置それぞれに一意の宛先内線番号を固定して予め付与し、その実装位置それぞれに対応するテーブルに移動先及び移動元の内線番号並びに移動元内線データを予め記録し、利用者が予め付与された前記宛先内線番号を宛先として移動先通信端末から所定の内線データ交換要求により発呼した際、利用者の内線データを移動元から移動先へ、かつ移動先で記録されていた内線データを移動元に交換して記録すると共に、更に、内線データの交換に対応して、交換した内線データが記録されている実装位置の宛先内線番号を対応テーブルの移動先領域で交換することを特徴とする内線電話端末の移動方法。
【請求項２】
請求項１に記載の内線電話端末の移動方法において、複数の前記交換装置で構成される一つのシステムで交換装置を変えて移動する場合、前記対応テーブルでは、交換装置に付与された一意の識別符号を上記宛先内線番号に付加し、前記内線データ交換要求による呼出しが交換装置間にまたがる場合、移動先交換装置から内線データ交換要求による呼出しを受付けした際には移動元交換装置の受入れを準備して準備完了を知らせる所定の交換要求承諾応答を返送し、かつ、交換装置間を転送する前記内線データ交換要求及び前記交換要求承諾応答並びに関連のデータは信号チャネルを使用することを特徴とする内線電話端末の移動方法。
【請求項３】
請求項２に記載の内線電話端末の移動方法において、前記信号チャネルには共通線信号方式の信号回線を使用することを特徴とする内線電話端末の移動方法。
【請求項４】
一方に少なくとも一つの外線、他方に複数の内線を有し、内線接続される通信端末の利用者が移動した際に移動元で使用していた内線データを移動先の内線データと交換する交換装置において、
前記通信端末の実装位置それぞれに一意の宛先内線番号を固定して予め付与し、その実装位置それぞれに対応して移動先及び移動元の内線番号並びに移動元内線データを予め記録する内線番号対応テーブルと、
利用者が移動先通信端末から所定の内線データ交換要求により発呼した際、利用者の内線データを移動元から移動先へ、かつ移動先で記録されていた内線データを移動元に交換して記録すると共に、更に、交換した内線データが記録されている実装位置の宛先内線番号を対応テーブルの移動先領域で交換する制御部と、
を備えることを特徴とする交換装置。
【請求項５】
請求項４に記載の交換装置において、前記制御部は、
交換装置間のデータを信号チャネルにより授受する手段と、
前記内線データ交換要求の送出先が別交換装置の場合には所定の内線データ交換要求を送出し、送出先交換装置から所定の交換要求承諾応答を受けた際にはその時点で移動元領域に記録されている内線データを前記内線データ交換要求の送出先へ転送すると共に前記内線データ交換要求の送出先から内線データを受けた際にはそれを移動元領域に記録する手段と、
所定の内線データ交換要求を受付けした際には内線データの受入れ準備を完了して所定の交換要求承諾応答を返送し、前記内線データ交換要求の送出先から内線データを受付けした際にはそれを移動元領域に記録する手段と、
前記移動元交換装置が転送先の場合、対応テーブルの移動先領域で、内線データ交換要求送出元の宛先内線番号と前記移動元の宛先内線番号とを交換する手段と、
を有することを特徴とする交換装置。
【請求項６】
請求項５に記載の交換装置において、前記信号チャネルは共通線信号方式の信号回線であることを特徴とする交換装置。
【発明の詳細な説明】
【技術分野】
【０００１】
本発明は、一方に少なくとも一つの外線、他方に複数の内線を有する交換装置、例えばボタン電話装置に内線接続される電話端末の利用者が、移動した際に、移動元で使用していた内線データを移動先でもそのまま利用することが利用者とって容易に実現できる方法及びその方法を実現する交換装置に関するものである。
【背景技術】
【０００２】
従来の内線電話端末の移動については、例えば特開２００２−２２３４６５号公報（特許文献１）に子機端末を移動させるボタン電話装置が開示されている。このボタン電話装置は、オフィスでフロアの配置換えの際に、配置換え前に一方のボタン電話端末で登録した端末接続情報及びサービス機能と、他方のボタン電話端末で登録した端末接続情報及びサービス機能とを配置換え後にいずれか一方のボタン電話端末の操作により交換可能としている。
【０００３】
それについて、図７を参照して説明すれば、制御部１１３は電話端末１２１のオフフックを検出し接続情報交換対象端末かを判定し、対象端末の場合、内線番号の入力を要求する。制御部１１３は、入力された内線番号で接続情報管理テーブル１１５における登録の有無を判定し、登録有の場合、更に内線番号と端末識別番号との一致を判定する。一致の場合に、制御部１１３は、パスワードの入力を要求し、入力されたパスワードの一致を判定する。一致の場合、制御部１１３は、物理ポート対応テーブル１１４の電話端末１２１の物理ポートのソフトウェア管理番号と移動先の電話端末１２２の物理ポートのソフトウェア管理番号とを相互に書替えさせ、かつ接続情報管理テーブル１１５の電話端末１２１の物理ポートのソフトウェア管理番号と電話端末１２２の物理ポートのソフトウェア管理番号とを相互に書替えする。
【０００４】
この内線電話端末の移動システムは、二つの端末の相互入替えに伴うデータの入替えを一方の端末のみで可能にしているが、一般的に、その内線ポート又は実装位置に内線番号が対応しているので、同一内線番号をもって移動することはできない。内線ポート又は実装位置に対し内線番号を変更するとしても、三つの端末の順次入替え、又は異なる端末同士が入替えの際には、その手順が複雑であり、開示された技術では解決できない。また、一つのボタン電話装置１００に接続される内線端末同士であり、異なるボタン電話装置すなわち交換機にまたがる内線端末の移動は含まれない。
【０００５】
すなわち、近年、ネットワークの構成が多様化し、ボタン電話装置又は構内交換装置など、複数の交換装置を例えば公衆電話網、インターネットなどのネットワークに接続して企業内交換システム又はプライベートネットワークを形成することも可能である。このようなシステム構成で、職場の配置換えなどにより、利用者が常時使用する電話端末の接続先交換装置が変更された場合、それまでの端末で使用していたデータを変更先でもそのまま利用可能であることが望まれる。
【０００６】
この改善策として、内線電話機が交換機を移動する交換機システムが、例えば、特開２００５−２６０４１９号公報（特許文献２）に開示されている。この交換機システムは、移転する内線電話機を収容する移転先の交換機、及び移転元の交換機における設定変更を容易に行うことを可能とする。
【０００７】
それについて図８を参照して説明すれば、その交換機システムは、複数の内線が収容されると共に外線に接続され、内線に接続された内線電話機を識別する識別情報が登録された識別情報テーブルに基づいて外線から着信した呼を内線電話機へ配信する交換機（Ａ）２０１及び交換機（Ｂ）２０２を有する。このシステムにおいて、移転する内線電話機２０３を識別する識別情報を移転元の交換機（Ａ）２０１から移転先の交換機（Ｂ）２０２へ送信することにより、交換機（Ｂ）２０２は、移転する内線電話機２０３に対応した識別情報を識別情報テーブルへ登録する。他方、交換機（Ａ）２０１は、登録の移転完了通知を受けて識別情報テーブルからこの識別情報を除外することができる。すなわち、移転元の交換機（Ａ）２０１と移転先の交換機（Ｂ）２０２との間の情報授受により、１回の設定変更手続きで、識別情報テーブルの設定変更を可能にする。
【０００８】
この図示の例では、移転元の交換機（Ａ）２０１から移転先の交換機（Ｂ）２０２へ移転要求通知を送出する際に、移転する内線電話機２０３を識別する識別情報を移転先の交換機（Ｂ）２０２へ送信している。しかし、移転先の交換機（Ｂ）２０２から移転元の交換機（Ａ）２０１へ移転要求通知を送出する場合も識別情報の送信は可能である。すなわち、移転元の交換機（Ａ）２０１から移転先の交換機（Ｂ）２０２へ移転要求応答を送信する際に、移転する内線電話機２０３を識別する識別情報が送信できる。
【０００９】
しかしながらこのシステムでは、交換機側から自己の識別情報テーブルに登録されている内線電話機を介して、登録先変更要求を送信し、それに対応して送信される登録要求を受信することにより、登録切替えが実行されるので、内線電話機からの切替え要求はできない。すなわち、登録切替えには交換機を操作できる者が必要であり、内線電話機を利用して、簡便かつ容易に切替えすることはできない。
【００１０】
いずれにせよ、上述した従来の技術では、利用者が、利用する内線番号を持って、移動先に移動し、移動元でそれまで利用していた内線番号及び内線データを、移動先でもそのまま利用することが、容易にはできない。
【００１１】
【特許文献１】特開２００２−２２３４６５号公報
【特許文献２】特開２００５−２６０４１９号公報
【発明の開示】
【発明が解決しようとする課題】
【００１２】
解決しようとする課題は、交換装置に内線接続される電話端末の利用者が、常駐場所を移動した際に、移動元で使用していた内線番号及び内線データを移動先でもそのまま利用することが利用者によって簡単かつ容易に実現できる内線電話端末の移動方法及びそのシステムを提供することである。更に、複数の交換装置で構成されるシステム内で、交換装置を変えて移動する場合でも、内線番号及び内線データの移動が可能とすることである。
【課題を解決するための手段】
【００１３】
本発明は、一方に少なくとも一つの外線、他方に複数の内線を有する例えばボタン電話装置、構内交換装置などのような交換装置に係り、内線接続される通信端末の利用者が、常駐場所を移動した際に、移動元で使用していた内線番号及び内線データを移動先と交換し、その移動先でもそのまま利用することが利用者によって簡単かつ容易に実現可能とすることを目的とする。
【００１４】
そのため、本発明による内線電話端末の移動方法は、前記通信端末の実装位置それぞれに一意の宛先内線番号を固定して予め付与し、その実装位置それぞれに対応するテーブルに移動先及び移動元の内線番号並びに移動元内線データを予め記録する。利用者が予め付与された前記宛先内線番号を宛先として移動先通信端末から所定の内線データ交換要求により発呼した際、利用者の内線データを移動元から移動先へ、かつ移動先で記録されていた内線データを移動元に交換して記録すると共に、更に、内線データの交換に対応して、交換した内線データが記録されている実装位置の宛先内線番号を対応テーブルの移動先領域で交換することを主要な特徴とする。
【００１５】
このような構成により、移動する利用者が移動先から自分の宛先内線番号で内線データ交換要求により発呼した際、自分が元使用していた内線番号及び内線データが移動先のテーブル領域に記録される。従って、利用者が発呼の際には自分に付与された宛先内線番号が発信者番号として得られるだけでなく、従来から使用していた内線データもそのまま利用することができる。当然、接続先の相手にもその宛先内線番号が表示される。更に、その手順が完了した後は、自分が使用していた宛先内線番号で呼ばれた場合、この移動先の通信端末を一回の転送手続で呼び出すことができるだけでなく、次の移動の際も、同様の手順で利用者により簡単かつ容易に従来から使用している宛先内線番号と内線データとの移動をすることができる。
【００１６】
この方法を実現する具体的な交換装置は、内線番号対応テーブルと制御部とを備える。内線番号対応テーブルは、前記通信端末の実装位置それぞれに一意の宛先内線番号を固定して予め付与し、その実装位置それぞれに対応して移動先及び移動元の内線番号並びに移動元内線データを予め記録する。制御部は、利用者が移動先通信端末から所定の内線データ交換要求により発呼した際、利用者の内線データを移動元から移動先へ、かつ移動先で記録されていた内線データを移動元に交換して記録すると共に、更に、交換した内線データが記録されている実装位置の宛先内線番号を対応テーブルの移動先領域で交換する。
【００１７】
上述した内線電話端末の移動において、複数の前記交換装置で構成される一つのシステムで交換装置を変えて移動する場合には、前記対応テーブルでは交換装置に付与された一意の識別符号を上記宛先内線番号に付加する。また、前記内線データ交換要求による呼出しが交換装置間にまたがる場合、移動先交換装置から内線データ交換要求による呼出しを受付けした際には移動元交換装置の受入れを準備して準備完了を知らせる所定の交換要求承諾応答を返送することが好ましい。かつ、交換装置間を転送する前記内線データ交換要求及び前記交換要求承諾応答並びに関連のデータは通話チャネル又は情報チャネルとは別の信号チャネル又は共通線信号方式の信号回線を使用することができる。
【００１８】
その更に具体化された前記制御部は、交換装置間のデータを信号チャネルにより授受する手段と、前記内線データ交換要求の送出先が別交換装置の場合には所定の内線データ交換要求を送出し、送出先交換装置から所定の交換要求承諾応答を受けた際にはその時点で移動元領域に記録されている内線データを前記内線データ交換要求の送出先へ転送すると共に前記内線データ交換要求の送出先から内線データを受けた際にはそれを移動元領域に記録する手段と、所定の内線データ交換要求を受付けした際には内線データの受入れ準備を完了して所定の交換要求承諾応答を返送し、前記内線データ交換要求の送出先から内線データを受付けした際にはそれを移動元領域に記録する手段と、前記移動元交換装置が転送先の場合、対応テーブルの移動先領域で、内線データ交換要求送出元の宛先内線番号と前記移動元の宛先内線番号とを交換する手段と、を有している。
【発明の効果】
【００１９】
本発明の内線電話端末の移動方法は、利用者が移動先通信端末から所定の内線データ交換要求により自分の所有する内線番号を宛先として発呼した際、利用者の内線データを移動元から移動先へ、かつ移動先で記録されていた内線データを移動元に交換して記録すると共に、更に、この内線データの交換に対応して、交換した内線データが記録されている実装位置の宛先内線番号を対応テーブルの移動先領域で交換している。
【００２０】
このような構成により、利用者が移動先通信端末から簡単な所定の発呼手続をするのみで、自分の最初の転送元内線番号が自分に最初に付与された宛先内線番号であり、この宛先内線番号が発信者番号として得られるだけでなく、最初からそれまで使用していた内線データもそのまま利用することができる。当然、接続先の相手にもその宛先内線番号が通知され、表示される。
【００２１】
一方、交換装置では、内線番号それぞれが移動元領域と移動先領域とのそれぞれで一つに限定されるので、自分が自身に付与され従来使用していた宛先内線番号で呼ばれた場合にこの移動先の通信端末を一回の転送手続で呼び出すことができる。また、次の移動の際も、常に同様の手順で利用者により簡単かつ容易に内線番号と内線データとの移動をすることができる。
【発明を実施するための最良の形態】
【００２２】
本発明では、内線接続される通信端末の利用者が、常駐場所を移動した際に、移動元で使用していた内線番号及び内線データを移動先でもそのまま利用することが利用者によって簡単かつ容易に実現できるという目的を有する。この目的を、利用者が自分に予め付与された宛先内線番号を宛先として移動先通信端末から所定の内線データ交換要求により発呼した際、利用者の内線データを移動元から移動先へ、かつ移動先で記録されていた内線データを移動元に交換して記録すると共に、更に、この内線データの交換に対応して交換した内線データが記録されている実装位置の宛先内線番号を対応テーブルの移動先領域で交換することにより実現した。
【００２３】
以下に、その実施例について図面を参照して説明する。実施例では、交換装置はボタン電話装置であり、通信端末は電話端末とする。また、交換装置間のデータチャネルにはＩＳＤＮにおける共通線信号方式の信号回線を用いるものとする。
【００２４】
また、図面では、本発明に係る部分を示し、通常機能、障害時機能など必須の機能又は手順でも省略されたものがある。図面における、機能の分割、併合など、及び動作手順の前後入替えなどの変更は、本発明の趣旨及び記載された機能を満たす限り自由であり、本発明が本説明により限定されるものではない。
【実施例１】
【００２５】
本発明の実施例１について図１を参照して説明する。
【００２６】
図１は、本発明における交換装置の実施の一形態をボタン電話装置１０のブロック構成により示して説明する図である。
【００２７】
図示されるボタン電話装置１０は、一方に複数の外線かつ他方に内線として複数の電話端末２１を収容接続し、外線ＩＦ（インタフェース）１１、内線ＩＦ１２、制御部１３、及びメモリ部１４を有する。
【００２８】
外線ＩＦ１１は、一方を外線と共通線信号方式で接続し、他方を制御部１３と接続して信号の授受をする。内線ＩＦ１２は、一方を電話端末２１と接続し、他方を制御部１３と接続して信号又はメッセージの授受を行う。制御部１３は、プログラム制御されるプロッセサであり、メモリ部１４のデータを用いてボタン電話装置１０の機能を実行する。本発明に係る機能は内線データの交換である。本発明による主要機能概要は、フローチャートを参照して後に説明する。メモリ部１４は、実装位置内線番号対応テーブル３０及びそのデータ交換作業用領域１５を含む。
【００２９】
実装位置内線番号対応テーブル（以後、対応テーブルと略称する）３０は、内線の実装位置又は内線ポート対応に、本籍となる宛先内線番号、この宛先内線番号の移動先内線番号、この宛先内線番号への移動元内線番号、及びこの実装位置に接続される電話端末２１で利用される内線データが含まれ記録される。実装位置と宛先内線番号とは固定され、利用者に本籍として割り当てられるものとする。この移動先及び移動元の内線番号領域は、内線データの交換のため、移動が発生した際に両者にそれぞれの内線番号が記録される。移動がなければ、両者とも内線番号の記録はなく、内線データ領域には宛先内線番号の内線データが記録される。
【００３０】
従って、各利用者は、最初に使用する通信端末に付与された宛先内線番号が本籍としての宛先内線番号となり、移動した際には常に移動元の内線番号になる。内線データにはそのデータを用いる利用者の宛先内線番号及び暗証番号と、利用者により登録された短縮番号などの個人データが含まれる。この内線データは、移動先内線番号の記録がなければ宛先内線番号、また、移動元内線番号の記録があればその移動元内線番号それぞれに対応する。
【００３１】
次に、図２に図１を併せ参照して、制御部１３の本発明に係る主要動作手順の概要について説明する。詳細は、後に具体例を持って説明するが、障害等の異常動作については含まれない。
【００３２】
まず、利用者は移動先の電話端末２１から自己の本籍である宛先内線番号を所定の内線データ交換要求により呼び出す。所定の内線データ交換要求は、例えば、宛先アドレスとなるダイヤル番号の前に二桁の特殊番号を付加、又は予め定められたボタンの操作により通知され、更に、その利用者の暗証番号がダイヤル操作される。
【００３３】
ボタン電話装置１０の制御部１３は、ダイヤルされた利用者の宛先内線番号及び暗証番号と、発信者番号としてその電話端末２１の実装位置における宛先内線番号とを含む内線データ交換要求を受付け（手順Ｓ１）した際、対応テーブル３０を検索する。ここで、宛先内線番号対応で移動先領域に内線番号なしの場合、この領域における内線データが、また、宛先内線番号対応で移動先領域に内線番号ありの場合、この移動先内線番号を宛先内線番号とする領域の移動元内線番号及びその内線データが索引（手順Ｓ２）され、先の暗証番号で内線データの所有者が検証（手順Ｓ３）される。
【００３４】
このように、移動元宛先内線番号領域で所有者確認あり（手順Ｓ４のＹＥＳ）の場合、制御部１３は、その移動元宛先内線番号領域における移動元における内線番号及びその内線データと、内線データ交換要求元になる移動先宛先内線番号領域の移動元における内線番号及びその内線データとの少なくとも一方を作業用領域に移動（手順Ｓ５）し、移動元における内線番号及びその内線データの領域を空きにする。次いで、制御部１３は、移動先及び移動元それぞれの作業用領域の内線番号及びその内線データを転送により交換しそれぞれの領域に記録（手順Ｓ６）する。更に、制御部１３は、対応テーブル３０で、内線データ交換の宛先内線番号を索引し、内線番号移動先領域で交換しそれぞれを更新（手順Ｓ７）する。次いで、制御部１３は、内線データ交換要求元の通信端末にデータ交換完了を通知（手順Ｓ８）して手順を終了する。
【００３５】
上記手順Ｓ４が「ＮＯ」で、所有者の確認ができなかった場合、制御部１３は、内線データ交換要求の移動先通信端末２１に暗証番号誤りを通知（手順Ｓ９）して手順を終了する。電話端末２１は、利用者が暗証番号誤りを知り、呼を切断して再度要求することになる。
【００３６】
このような構成を採用したので、内線データの交換だけでなく、そのデータ交換に関連した宛先内線番号もその移動先領域で相互に交換されるので、一つの宛先内線番号の移動先は常に一つである。従って、第三者から宛先内線番号を呼び出された場合でも、一回の転送のみで常に移動先を呼び出すことができる。また、交換装置における内線データの交換手順も常に同一である。特に、通信端末利用者は、自分の暗証番号の入力を含む内線データ交換要求操作手順を移動先通信端末から実行するのみでよいので、簡単にこの機能を享受できる。
【実施例２】
【００３７】
本発明の実施例２について図３Ａ，３Ｂ及び図４を併せ参照して説明する。
【００３８】
図３Ａの対応テーブル３１Ａは、図１における対応テーブルの実施の一形態として複数の宛先内線番号対応に移動先及び移動元の内線番号と移動元の内線データとを記録している。例えば、図示される実装位置「０１」は宛先内線番号「２０１」であり、その移動先領域には内線番号「２０４」が、また、移動元領域には内線番号「２１１」、更に、内線データ領域には移動元領域の内線番号「２１１」に係る内線データ、それぞれが記録されている。
【００３９】
このことは、ある通信端末から宛先内線番号「２０１」が呼出しされた際には移動先の内線番号「２０４」を宛先として転送されることを意味する。従って、宛先内線番号「２０４」の移動元には内線番号「２０１」が、また内線データ領域にはその内線データが記録されている。また、ある通信端末から宛先内線番号「２１１」が呼出しされた際には移動先の内線番号「２０１」を宛先として転送されてくることを意味する。
【００４０】
図３Ｂの対応テーブル３１Ｂは、図３Ａにおいて、本籍として宛先内線番号「２１１」が付与される利用者が現在の移動先である宛先内線番号「２０１」から別の移動先の宛先内線番号「２０３」に移動した後の記録を示しており、移動部分がマークされている。すなわち、図示されるように、移動元領域の宛先内線番号「２１１」とその内線データは、実装位置「０１」の宛先内線番号「２０１」の領域から、実装位置「０３」の宛先内線番号「２０２」の領域へ移動し、移動先の宛先内線番号「２０３」の移動元領域に記録されていた宛先内線番号「２０２」とその内線データは、実装位置「０１」の宛先内線番号「２０１」の領域へ移動、すなわち、内線データの交換が行われている。
【００４１】
本発明では更に、この交換された移動元領域の内線番号に、移動先領域の内線番号が合致するように、交換された移動元内線番号「２０２」及び「２１１」の宛先内線番号実装位置「０２」及び「１１」それぞれの移動先内線番号「２０１」及び「２０３」の記録が交換され例えば上書きにより更新される。
【００４２】
次に、図４に図１及び図３Ａ，３Ｂを併せ参照してこの内線データ交換手順の実施の一形態について説明する。上述したように、宛先内線番号「２１１」を有する利用者が、現在の常駐場所である実装位置「０１」の宛先内線番号「２０１」を移動元として、移動先となる実装位置「０３」の宛先内線番号「２０３」に移動するものとする。従って、宛先内線番号「２１１」を有する利用者は、移動先の実装位置「０３」の宛先内線番号「２０３」の電話端末から所定の内線データ交換要求を自分の宛先内線番号「２１１」でダイヤル発呼する。
【００４３】
まず、ボタン電話装置１０の制御部１３は、宛先内線番号「２０３」の電話端末から宛先内線番号「２１１」の呼出しを所定の内線データ交換要求により受付け（手順Ｓ２１）する。この交換要求の受付けで、制御部１３は、宛先内線番号「２０３」の移動元領域を空きにするため、内線番号「２０２」及びその内線データを作業用領域に移動（手順Ｓ２２）し、宛先内線番号「２１１」を呼出しする。作業用領域への移動は、後述するように「なし」としてもよい。
【００４４】
制御部１３は、宛先内線番号「２１１」の呼出しを受けるが、宛先内線番号「２０３」から発呼の内線データ交換要求なので、移動先交換用に内線番号「２０３」を作業用領域に移して更新準備（手順Ｓ２３）すると共に、対応テーブル３１Ａで宛先内線番号「２１１」の移動先内線番号「２０１」を知るので宛先内線番号「２０１」領域を呼出しする。制御部１３は、宛先内線番号「２０１」の転送元領域から内線番号「２１１」とその内線データを取出し、作業用領域に移動（手順Ｓ２４）すると共に移動先宛先内線番号「２０３」領域を呼び出す。上記手順Ｓ２２とこの手順Ｓ２４とは転送順序によりいずれか一方にすることができる。
【００４５】
制御部１３は、宛先内線番号「２０３」対応の作業用領域から内線番号「２０２」及びその内線データを移動元の宛先内線番号「２０１」領域に転送（手順Ｓ２５）し、その移動元領域に記録（手順Ｓ２６）する。次いで、転送された内線データの宛先内線番号「２０２」領域に移動元内線番号「２０１」が転送（手順Ｓ２７）され、宛先内線番号「２０２」の移動先領域に内線番号「２０１」が記録更新（手順Ｓ２８）される。
【００４６】
次いで、制御部１３は、移動元の作業領域の内線番号「２１１」及びその内線データを移動先内線番号「２０３」領域に転送（手順Ｓ２９）し、宛先内線番号「２０３」の転送元領域に記録（手順Ｓ３０）して、内線データの交換を終了する。制御部１３は、内線データの交換終了で、本籍の宛先内線番号「２１１」の移動先領域を内線番号「２０３」に更新（手順Ｓ３１）し、図３Ｂのテーブルが完成する。次いで、制御部１３は、宛先内線番号「２０３」の電話端末２１に交換の終了を通知（手順Ｓ３２）するので、電話端末２１から切断を受けて全ての手順を終了する。
【実施例３】
【００４７】
本発明の実施例３について図５に図1を併せ参照して説明する。
【００４８】
図５は、ボタン電話装置１０Ａ，１０Ｂが通信ネットワーク４０を介して一つのプライベートネットワークを形成して接続している場合の内線データ交換における実施の一形態をブロックで示す説明図である。ボタン電話装置１０Ａ，１０Ｂそれぞれは図1に示されるボタン電話装置１０と同様の構成を有し、制御部１３の制御が相違する。内線電話データの交換は、電話端末利用者が常駐場所をボタン電話装置１０Ｂの電話端末２１Ｂの移動元からボタン電話装置１０Ａの電話端末２１Ａの移動先に移動した場合である。ボタン電話装置１０Ａ，１０Ｂそれぞれは、上述したと同様の実装位置内線番号対応テーブル３０Ａ，３０Ｂとデータ交換作業用メモリ領域とを有している。
【００４９】
上述するような対応テーブルでのデータ転送がボタン電話装置１０Ａ，１０Ｂ間にわたる場合、図示されるような通信ネットワーク４０を介した信号又はメッセージの授受が必要である。この信号又はメッセージは、通話チャネル又は情報チャネルとは別の信号チャネル又は共通線信号方式の信号回線を使用する。図示されるように、移動先の電話端末２１Ａから内線データ交換要求を受けたボタン電話装置１０Ａは「内線データ交換要求」を宛先のボタン電話装置１０Ｂに送る。ボタン電話装置１０Ｂは、データ交換の準備が完了したことにより「交換要求承諾応答」を返送する。その結果、ボタン電話装置１０Ａ，１０Ｂ間で内線データの交換が実行される。
【００５０】
内線データの交換順序は、交換要求を受けた側で「交換要求承諾応答」によるデータの受信準備完了を発信するので、まず、移動先から移動元へのデータ送信があり、次いで、その空いた領域に移動元から移動先へデータ送信することとしている。しかし、図２で説明のように、両者で作業用領域に移動させた場合には同時送受信も可能である。
【００５１】
このように、ボタン電話装置のような交換装置間での内線データ交換も容易に実現できる。
【実施例４】
【００５２】
次に、本発明の実施例４について図６Ａ，６Ｂに図１及び図５を併せ参照して説明する。この実施の形態は、複数の交換装置によりプライベートネットワークが形成されている場合である。ここでは、異なる四つの交換装置に上記図４における移動先、本籍、移動元、及び移動先変更それぞれの宛先内線番号領域がある場合を想定する。すなわち、内線番号の移動先、本籍、移動元、及び移動先変更は、ボタン電話装置「３」から「６」までのそれぞれにおける実装位置に収容接続される。
【００５３】
各ボタン電話装置は、図１に示される構成を有し、かつ、上記実施例３で説明された機能を有している。ボタン電話装置１０の実装位置内線番号対応テーブル３０にはシステム内で一意の実装位置及び内線番号が登録されており、本実施例では、３桁の内線番号の１桁目にボタン電話装置の装置番号が付与されている。従って、内線番号の１桁目でボタン電話装置「３」から「６」までの一つを選択することができる。
【００５４】
次に、図６Ａ，６Ｂを参照して主要動作手順について説明する。上述したように、３桁の内線番号は、最初の桁でボタン電話装置が判別可能であり、本籍はボタン電話装置「４」であり、移動先がボタン電話装置「３」であり、移動元がボタン電話装置「５」であり、かつ、移動先変更先がボタン電話装置「６」である。また、図４と同様に、本籍は宛先内線番号「４１１」であり、移動先が宛先内線番号「３０３」であり、移動元が宛先内線番号「５０１」であり、かつ、移動先変更先が宛先内線番号「６０２」であるとしている。
【００５５】
まず、ボタン電話装置「３」は、宛先内線番号「３０３」の電話端末から宛先内線番号「４１１」の呼出しを所定の内線データ交換要求により受付け（手順Ｓ４１）する。この交換要求の受付けで、宛先内線番号「３０３」の移動元領域を空きにするため、内線番号「６０２」及びその内線データを作業用領域に移動（手順Ｓ４２）し、宛先内線番号「４１１」の呼出しのため、ボタン電話装置「４」を「内線データ交換要求」で呼出し（手順Ｓ４３）する。上述したように、上記手順Ｓ４２は省略することができる。
【００５６】
ボタン電話装置「４」は、宛先内線番号「４１１」の呼出しを受けるが、宛先内線番号「３０３」から発呼の内線データ交換要求なので、移動先交換用に内線番号「３０３」を作業用領域に移して更新準備（手順Ｓ４４）すると共に対応テーブルで宛先内線番号「４１１」の移動先内線番号「５０１」を知るので、宛先内線番号「５０１」領域の呼出しのため、今回移動の移動元であるボタン電話装置「５」を「内線データ交換要求」で呼出し（手順Ｓ４５）する。
【００５７】
ボタン電話装置「５」は、宛先内線番号「５０１」の転送元領域から内線番号「４１１」とその内線データを取出し、作業用領域に移動（手順Ｓ４６）して、移動先宛先内線番号「３０３」対応のボタン電話装置「３」を呼び出して「交換要求承諾応答」を返送（手順Ｓ４７）する。
【００５８】
ボタン電話装置「３」は「交換要求承諾応答」を受け、宛先内線番号「３０３」対応の作業用領域から内線番号「６０２」及びその内線データを取り出し、移動元のボタン電話装置「５」に転送（手順Ｓ４８）する。
【００５９】
ボタン電話装置「５」は、転送された内線番号「６０２」及びその内線データを宛先内線番号「５０１」の移動元領域に記録（手順Ｓ４９）すると共に、図５では省略された次の手順を実行する。すなわち、転送された内線データの宛先内線番号「６０２」対応のボタン電話装置「６」に「内線データ交換用移動先交換要求」により移動元内線番号「５０１」が通知（手順Ｓ５０）される。
【００６０】
ボタン電話装置「６」は、受けた内線番号「５０１」を宛先内線番号「６０２」の移動先領域に記録更新して更新完了をボタン電話装置「５」に返送通知（手順Ｓ５１）する。
【００６１】
ボタン電話装置「５」は、作業用領域に記録された内線番号「４１１」及びその内線データを移動先のボタン電話装置「３」に転送（手順Ｓ５２）する。
【００６２】
ボタン電話装置「３」は、受けた内線番号「４１１」及びその内線データを宛先内線番号「３０３」の転送元領域に記録し、本籍であるボタン電話装置「４」に記録の完了を通知（手順Ｓ５３）する。
【００６３】
ボタン電話装置「４」は、宛先内線番号「４１１」の移動先領域を内線番号「３０３」に更新し、その完了をボタン電話装置「３」に通知（手順Ｓ５４）する。
【００６４】
ボタン電話装置「３」は、その通知を受けて内線データ交換要求元である宛先内線番号「３０３」の電話端末２１に交換の終了を通知（手順Ｓ５５）するので、電話端末２１から切断を受けて全ての手順を終了する。
【００６５】
上述した実施例で明らかなように、交換装置間にわたる通信端末の移動でも、確実に上記目的を達成できるのみならず、上記効果も発揮することができる。
【００６６】
上記説明では、各ボタン電話装置で実装する内線についてのみの対応テーブルを備えるとしているが、ボタン電話装置それぞれで全ての内線に対する対応テーブルを有し、移動先ボタン電話装置のみで内線番号及び内線データを交換し、常時の相互通信により、全てのボタン電話装置で同一内容の対応テーブルとする構成でもよい。更に、対応テーブルを集中して一つとし、各ボタン電話装置がアクセスする構成としてもよい。
【産業上の利用可能性】
【００６７】
移動先電話端末で利用者が所定の「内線データ交換要求」により自分の所有する内線番号を宛先として発呼した際、自分の内線データの記録された領域を呼び出し、移動先内線番号の内線データと交換するだけでなく、交換した内線データが記録されている実装位置の宛先内線番号を対応テーブルの移動先領域で交換している。このような構成により、利用者が移動先通信端末から簡単な所定の手続をするのみで、自分の利用データを移動先で使用可能になり、更に、交換装置では、端末番号が移動元及び移動先それぞれで一つに限定される。従って、端末収容位置にリンクして利用者データを保存するとともに端末収容位置にリンクして宛先アドレスを付与するようなシステムに容易に適用可能である。
【図面の簡単な説明】
【００６８】
【図１】本発明による内線電話端末の移動を可能とするボタン電話装置の実施の一形態をブロックで示す説明図である。（実施例１）
【図２】図１のボタン電話装置における内線電話端末の移動に対する主要手順の実施の一形態をフローチャートで示す説明図である。（実施例１）
【図３Ａ】図１の対応テーブルにおけるデータの一形態をテーブルで示す説明図である。（実施例２）
【図３Ｂ】図３Ａで内線データを交換した後の対応テーブルにおけるデータの一形態をテーブルで示す説明図である。（実施例２）
【図４】図３Ａから図３Ｂに変化する過程における主要手順の実施の一形態をシーケンスチャートで示す説明図である。（実施例２）
【図５】本発明による内線電話端末の移動をボタン電話装置間で可能とする実施の一形態をブロックで示す説明図である。（実施例３）
【図６Ａ】四つの交換装置が関係する内線電話端末の移動における主要手順の実施の一形態をシーケンスチャートで示す説明図である。（実施例４）
【図６Ｂ】図６Ａに続く主要手順の実施の一形態をシーケンスチャートで示す説明図である。（実施例４）
【図７】従来の内線電話端末の移動を可能とするボタン電話装置の一例をブロックで示す説明図である。
【図８】従来の内線データを交換機間で移動可能とする一例をブロックで示す説明図である。
【符号の説明】
【００６９】
１０、１０Ａ、１０Ｂ    ボタン電話装置
１１    外線ＩＦ
１２    内線ＩＦ
１３    制御部
１４    メモリ部
１５    作業用領域
２１、２１Ａ、２１Ｂ    電話端末
３０、３０Ａ、３０Ｂ、３１Ａ、３１Ｂ    対応テーブル
【図１】
2008166890.tif 000003
【図２】
2008166890.tif 000004
【図３Ａ】
2008166890.tif 000005
【図３Ｂ】
2008166890.tif 000006
【図４】
2008166890.tif 000007
【図５】
2008166890.tif 000008
【図６Ａ】
2008166890.tif 000009
【図６Ｂ】
2008166890.tif 000010
【図７】
2008166890.tif 000011
【図８】
2008166890.tif 000012